(57)【要約】      （修正有）【課題】マルチユーザマルチ入力マルチ出力（ＭＵ−ＭＩＭＯ）伝送方法および基地局を提供する。【解決手段】方法は、基地局が、ＭＵ−ＭＩＭＯ伝送を行う１つ以上の協調伝送ユーザ端末（ＵＥ）に対して、復調パイロット信号（ＤＭＲＳ）ポートを設定し、前記１つ以上の協調伝送ユーザ端末のうちの第ｉのユーザ端末に対して、下り制御シグナリングを生成し、第ｉのユーザ端末のＤＭＲＳポート情報と、その協調相手ユーザ端末のＤＭＲＳポート情報とを、該下り制御シグナリングに記録し、前記１つ以上の協調伝送ユーザ端末のプリコーディングデータと、前記下り制御シグナリングとをフレーミングして、前記１つ以上の協調伝送ユーザ端末に送信する、ことを含む。方法は、基地局で配置された非透過マルチユーザＭＩＭＯ伝送モードをサポートする。これにより、ユーザ端末はよりよい受信性能を有する。【選択図】図２
2011142620.tif 000002
【特許請求の範囲】
【請求項１】
マルチユーザマルチ入力マルチ出力（ＭＵ−ＭＩＭＯ）伝送方法であって、
基地局が、ＭＵ−ＭＩＭＯ伝送を行う１つ以上の協調伝送ユーザ端末（ＵＥ）に対して、復調パイロット信号（ＤＭＲＳ）ポートを設定し、
前記１つ以上の協調伝送ユーザ端末のうちの第ｉのユーザ端末に対して、下り制御シグナリングを生成し、第ｉのユーザ端末のＤＭＲＳポート情報と、その協調相手ユーザ端末のＤＭＲＳポート情報とを、該下り制御シグナリングに記録し、
前記基地局が、前記１つ以上の協調伝送ユーザ端末のプリコーディングデータと、前記下り制御シグナリングとをフレーミングして、前記１つ以上の協調伝送ユーザ端末に送信する、
ことを含むことを特徴とする方法。
【請求項２】
前記第ｉのユーザ端末のＤＭＲＳポート情報と、その協調相手ユーザ端末のＤＭＲＳポート情報とを、該下り制御シグナリングに記録することは、
全ての使用可能なＤＭＲＳポートを含む第１のビットマップを設定し、第１のビットマップに、第ｉのユーザ端末で使用されるＤＭＲＳポートをマークし、
第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、
前記第１のビットマップと第２のビットマップとを、第ｉのユーザ端末の下り制御シグナリングに記録する、
ことを含むことを特徴とする請求項１に記載の方法。
【請求項３】
前記第１のビットマップは、Nport個のビットで示し、前記第２のビットマップは、Nport-Rank個のビットで示し、
ここで、Nportは、全ての使用可能なＤＭＲＳポートの数であり、前記Ｒａｎｋは、第ｉのユーザ端末のポート使用数である、
ことを特徴とする請求項２に記載の方法。
【請求項４】
前記第ｉのユーザ端末のＤＭＲＳポート情報と、その協調相手ユーザ端末のＤＭＲＳポート情報とを、該下り制御シグナリングに記録することは、
第ｉのユーザ端末のポート使用数を決定し、かつ、該ユーザ端末で使用されるポートスタートポイントを決定し、
第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、
前記ポート使用数、ポートスタートポイントおよび前記第２のビットマップを、第ｉのユーザ端末の下り制御シグナリングに記録する、
ことを含むことを特徴とする請求項１に記載の方法。
【請求項５】
前記ポート使用数は、
2011142620.tif 000013
個のビットで示し、前記ポートスタートポイントは、
2011142620.tif 000014
個のビットで示し、前記第２のビットマップは、Nport-Rank個のビットで示し、
ここで、Nportは、全ての使用可能なＤＭＲＳポートの数であり、前記Ｒａｎｋは、第ｉのユーザ端末のポート使用数である、
ことを特徴とする請求項４に記載の方法。
【請求項６】
前記ＭＵ−ＭＩＭＯ伝送を行う１つ以上の協調伝送ユーザ端末に対して、ＤＭＲＳポートを設定することは、
前記１つ以上の協調伝送ユーザ端末に対して、全ての使用可能なＤＭＲＳポートのうちの開始ＤＭＲＳポートまたは終了ＤＭＲＳポートが、前記１つ以上の協調伝送ユーザ端末により使用されるように、連続する複数のＤＭＲＳポートを設定する、
ことを含むことを特徴とする請求項１に記載の方法。
【請求項７】
前記第ｉのユーザ端末のＤＭＲＳポート情報と、その協調相手ユーザ端末のＤＭＲＳポート情報とを、該下り制御シグナリングに記録することは、
全ての協調伝送ユーザ端末のポート使用総数を決定し、かつ、第ｉのユーザ端末のポート使用数および該ユーザ端末で使用されるポートスタートポイントを決定し、
前記ポート使用総数、第ｉのユーザ端末のポート使用数およびポートスタートポイントを、第ｉのユーザ端末の下り制御シグナリングに記録する、
ことを含むことを特徴とする請求項６に記載の方法。
【請求項８】
前記第ｉのユーザ端末のＤＭＲＳポート情報と、その協調相手ユーザ端末のＤＭＲＳポート情報とを、該下り制御シグナリングに記録することは、
全ての協調伝送ユーザ端末のポート使用総数を決定し、
全ての使用可能なＤＭＲＳポートを含む第１のビットマップを設定し、第１のビットマップに、第ｉのユーザ端末で使用されるＤＭＲＳポートをマークし、
前記ポート使用総数と前記第１のビットマップとを、第ｉのユーザ端末の下り制御シグナリングに記録する、
ことを含むことを特徴とする請求項６に記載の方法。
【請求項９】
前記ポート使用総数は、
2011142620.tif 000015
個のビットで示し、ここで、Nportは、全ての使用可能なＤＭＲＳポートの数である、
ことを特徴とする請求項７または８に記載の方法。
【請求項１０】
無線通信システムにおける基地局であって、
ＭＵ−ＭＩＭＯ伝送を行う１つ以上の協調伝送ユーザ端末に対して、復調パイロット信号（ＤＭＲＳ）ポートを設定するＤＭＲＳポート設定手段と、
前記１つ以上の協調伝送ユーザ端末のうちの第ｉのユーザ端末に対して、下り制御シグナリングを生成し、第ｉのユーザ端末のＤＭＲＳポート情報と、その協調相手ユーザ端末のＤＭＲＳポート情報とを、該下り制御シグナリングに記録する下り制御シグナリング生成手段と、
前記１つ以上の協調伝送ユーザ端末のプリコーディングデータと、前記下り制御シグナリングとをフレーミングして、前記１つ以上の協調伝送ユーザ端末に送信する送信手段と、
を含むことを特徴とする基地局。
【請求項１１】
前記下り制御シグナリング生成手段は、
全ての使用可能なＤＭＲＳポートを含む第１のビットマップを設定し、第１のビットマップに、第ｉのユーザ端末で使用されるＤＭＲＳポートをマークし、
第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、
前記第１のビットマップと第２のビットマップとを、第ｉのユーザ端末の下り制御シグナリングに記録する、
ことを特徴とする請求項１０に記載の基地局。
【請求項１２】
前記下り制御シグナリング生成手段は、
第ｉのユーザ端末のポート使用数を決定し、かつ、該ユーザ端末で使用されるポートスタートポイントを決定し、
第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、
前記ポート使用数、ポートスタートポイントおよび前記第２のビットマップを、第ｉのユーザ端末の下り制御シグナリングに記録する、
ことを特徴とする請求項１０に記載の基地局。
【請求項１３】
前記下り制御シグナリング生成手段は、
全ての協調伝送ユーザ端末のポート使用総数を決定し、かつ、第ｉのユーザ端末のポート使用数および該ユーザ端末で使用されるポートスタートポイントを決定し、
前記ポート使用総数、第ｉのユーザ端末のポート使用数およびポートスタートポイントを、第ｉのユーザ端末の下り制御シグナリングに記録する、
ことを特徴とする請求項１０に記載の基地局。
【請求項１４】
前記下り制御シグナリング生成手段は、
全ての協調伝送ユーザ端末のポート使用総数を決定し、
全ての使用可能なＤＭＲＳポートを含む第１のビットマップを設定し、第１のビットマップに、第ｉのユーザ端末で使用されるＤＭＲＳポートをマークし、
前記ポート使用総数と前記第１のビットマップとを、第ｉのユーザ端末の下り制御シグナリングに記録する、
ことを特徴とする請求項１０に記載の基地局。
【請求項１５】
マルチユーザマルチ入力マルチ出力（ＭＵ−ＭＩＭＯ）伝送方法であって、
基地局が、ＭＵ−ＭＩＭＯ伝送を行う１つ以上の協調伝送ユーザ端末（ＵＥ）に対して、復調パイロット信号（ＤＭＲＳ）ポートを設定し、
前記基地局が、第ｉのユーザ端末のＤＭＲＳポート情報と、付加情報とを、前記第ｉのユーザ端末に送信し、
前記第ｉのユーザ端末が、自局のＤＭＲＳポート情報と、前記付加情報とによって、一部または全部の協調相手ユーザ端末のＤＭＲＳポート情報を知る、
ことを含むことを特徴とする方法。
【請求項１６】
前記付加情報には、直交カバーコード（ＯＣＣ）の長さまたはＤＭＲＳポート総数、およびＤＭＲＳ密度が含まれる、
ことを特徴とする請求項１５に記載の方法。
【請求項１７】
前記基地局が、第ｉのユーザ端末のＤＭＲＳポート情報と、付加情報とを、前記第ｉのユーザ端末に送信することは、
基地局が、第ｉのユーザ端末のＤＭＲＳポート情報と、ＯＣＣの長さまたはＤＭＲＳポート総数、およびＤＭＲＳ密度とを、下り制御シグナリングを介して、前記第ｉのユーザ端末に送信する、
ことを含むことを特徴とする請求項１６に記載の方法。
【請求項１８】
前記基地局が、第ｉのユーザ端末のＤＭＲＳポート情報と、付加情報とを、前記第ｉのユーザ端末に送信することは、
基地局が、第ｉのユーザ端末のＤＭＲＳポート情報を、下り制御シグナリングを介して、前記第ｉのユーザ端末に送信し、
基地局が、ＯＣＣの長さまたはＤＭＲＳポート総数、およびＤＭＲＳ密度を、半静的配置を介して、前記第ｉのユーザ端末に通知する、
ことを含むことを特徴とする請求項１６に記載の方法。
【請求項１９】
前記半静的配置は、無線リソース制御（ＲＲＣ）シグナリングを採用して実現される、
ことを特徴とする請求項１８に記載の方法。
【請求項２０】
無線通信システムであって、
ＭＵ−ＭＩＭＯ伝送を行う１つ以上の協調伝送ユーザ端末（ＵＥ）に対して、復調パイロット信号（ＤＭＲＳ）ポートを設定し、第ｉのユーザ端末のＤＭＲＳポート情報と、ＯＣＣの長さまたはＤＭＲＳポート総数、およびＤＭＲＳ密度が含まれる付加情報とを、前記第ｉのユーザ端末に送信する基地局と、
自局のＤＭＲＳポート情報と、前記付加情報とによって、一部または全部の協調相手ユーザ端末のＤＭＲＳポート情報を知る第ｉのユーザ端末と、
を含むことを特徴とするシステム。
【発明の詳細な説明】
【技術分野】
【０００１】
本発明は、無線通信技術に関し、特に、マルチユーザマルチ入力マルチ出力（ＭＵ−ＭＩＭＯ）伝送方法、無線通信システムおよび基地局に関する。
【背景技術】
【０００２】
無線通信システムにおいて、非透過ＭＵ−ＭＩＭＯ（ｎｏｎ−ｔｒａｎｓｐａｒｅｎｔ  ＭＵ−ＭＩＭＯ）技術は、現在、標準化団体（例えば、３ＧＰＰやＷｉＭＡＸなど）に注目されているホットスポット技術である。非透過マルチユーザＭＩＭＯと、透過マルチユーザＭＩＭＯとの差異は、ＭＵ−ＭＩＭＯ伝送に参加する１グループの協調伝送ユーザ端末（ＵＥ）のうちのいずれも、その協調相手ＵＥの復調パイロット信号（ＤＭＲＳ）情報、例えば、使用されるＤＭＲＳポート（ｐｏｒｔ）や、ポート数（ｒａｎｋ）などの情報を知ることができる場合、非透過マルチユーザＭＩＭＯであり、上記情報をを知ることができない場合、透過マルチユーザＭＩＭＯである、ということにある。ここで、１グループの協調伝送ＵＥは、基地局により同一のリソースブロック（ＲＢ：Ｒｅｓｏｕｒｃｅ  Ｂｌｏｃｋ）にスケジューリングされた１つ以上のＵＥである。以下、そのうちのいずれか１つのユーザ端末が、第ｉのＵＥと呼ばれ、第ｉのＵＥを除くほかのＵＥが、協調相手ＵＥと呼ばれる。例えば、ＵＥ１とＵＥ２とが協調相手としてＭＵ−ＭＩＭＯを構成すると仮定すると、ＵＥ１は、協調相手ＵＥ２のＤＭＲＳポート情報を有するかどうかによって、ＭＵ−ＭＩＭＯ伝送モードを透過または非透過マルチユーザＭＩＭＯに区分することができる。協調相手ＵＥ２のＤＭＲＳポート情報を有しない場合、該ＭＵ−ＭＩＭＯ伝送モードが透過であり、協調相手ＵＥ２のＤＭＲＳポート情報を有する場合、該ＭＵ−ＭＩＭＯ伝送モードが非透過である。
【０００３】
標準化団体において、透過マルチユーザＭＩＭＯ技術を採用するか、それとも非透過マルチユーザＭＩＭＯ技術を採用するかということについて、現在、まだ最終結論が出ていない。但し、最近の３ｇｐｐ  ＲＡＮ１会議での討論により、透過マルチユーザＭＩＭＯと比べて、非透過マルチユーザＭＩＭＯの性能希望がよりよく検証されている。例えば、非透過マルチユーザＭＩＭＯにとって、第ｉのＵＥは、協調相手ＵＥのＤＭＲＳポート情報（例えば、ＤＭＲＳポートなど）を得ることができるため、該ユーザ端末の受信機は、性能がよりよい復号器、例えば、干渉除去合成（ＩＲＣ：Ｉｎｔｅｒｆｅｒｅｎｃｅ  Ｒｅｊｅｃｔｉｏｎ  Ｃｏｍｂｉｎｉｎｇ）アルゴリズムを用いた復号器などをサポートすることができる。これにより、より大きい性能ゲインを得る。しかしながら、透過マルチユーザＭＩＭＯにおいて、第ｉのＵＥは、協調相手ＵＥのＤＭＲＳポート情報を有しないため、復号化時に、最大比合成（ＭＲＣ：ｍａｘｉｍｕｍ  ｒａｔｉｏ  ｃｏｍｂｉｎｉｎｇ）アルゴリズムを使用するより仕方がない。表１は、ＭＲＣとＩＲＣとの性能ゲインの比較を示す。ここで、ＩＲＣは、セル平均スループットを約１５％向上させることができ、セル端スループットを約１０％向上させることができる。
【表１】
2011142620.tif 000003
【発明の概要】
【発明が解決しようとする課題】
【０００４】
相応に、無線通信システムにおいて、非透過マルチユーザＭＩＭＯ技術を如何に実現するか、例えば、基地局が、スケジューリングを完了した後、協調伝送ユーザのうちのいずれか１つのユーザ（例えば、第ｉのユーザ）に対して、その協調相手ＵＥのＤＭＲＳポート情報などを如何に通知するかが、解決すべき課題になる。
【０００５】
上記に鑑みてなされて、本発明の主な目的は、マルチユーザマルチ入力マルチ出力伝送方法、無線通信システムおよび基地局を提供するということにある。
【課題を解決するための手段】
【０００６】
上記目的を達成するために、本発明は具体的に下記のように実現される。
【０００７】
マルチユーザマルチ入力マルチ出力（ＭＵ−ＭＩＭＯ）伝送方法であって、基地局が、ＭＵ−ＭＩＭＯ伝送を行う１つ以上の協調伝送ユーザ端末（ＵＥ）に対して、復調パイロット信号（ＤＭＲＳ）ポートを設定し、前記１つ以上の協調伝送ユーザ端末のうちの第ｉのユーザ端末に対して、下り制御シグナリングを生成し、第ｉのユーザ端末のＤＭＲＳポート情報と、その協調相手ユーザ端末のＤＭＲＳポート情報とを、該下り制御シグナリングに記録し、前記基地局が、前記１つ以上の協調伝送ユーザ端末のプリコーディングデータと、前記下り制御シグナリングとをフレーミングして、前記１つ以上の協調伝送ユーザ端末に送信する、ことを含む。
【０００８】
前記第ｉのユーザ端末のＤＭＲＳポート情報と、その協調相手ユーザ端末のＤＭＲＳポート情報とを、該下り制御シグナリングに記録することは、全ての使用可能なＤＭＲＳポートを含む第１のビットマップを設定し、第１のビットマップに、第ｉのユーザ端末で使用されるＤＭＲＳポートをマークし、第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、前記第１のビットマップと第２のビットマップとを、第ｉのユーザ端末の下り制御シグナリングに記録する、ことを含む。
【０００９】
前記第１のビットマップは、Nport個のビットで示し、前記第２のビットマップは、Nport-Rank個のビットで示し、ここで、Nportは、全ての使用可能なＤＭＲＳポートの数であり、前記Ｒａｎｋは、第ｉのユーザ端末のポート使用数である。
【００１０】
前記第ｉのユーザ端末のＤＭＲＳポート情報と、その協調相手ユーザ端末のＤＭＲＳポート情報とを、該下り制御シグナリングに記録することは、第ｉのユーザ端末のポート使用数を決定し、かつ、該ユーザ端末で使用されるポートスタートポイントを決定し、第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、前記ポート使用数、ポートスタートポイントおよび前記第２のビットマップを、第ｉのユーザ端末の下り制御シグナリングに記録する、ことを含む。
【００１１】
前記ポート使用数は、
2011142620.tif 000004
個のビットで示し、前記ポートスタートポイントは、
2011142620.tif 000005
個のビットで示し、前記第２のビットマップは、Nport-Rank個のビットで示し、ここで、Nportは、全ての使用可能なＤＭＲＳポートの数であり、前記Ｒａｎｋは、第ｉのユーザ端末のポート使用数である。
【００１２】
前記ＭＵ−ＭＩＭＯ伝送を行う１つ以上の協調伝送ユーザ端末に対して、ＤＭＲＳポートを設定することは、前記１つ以上の協調伝送ユーザ端末に対して、全ての使用可能なＤＭＲＳポートのうちの開始ＤＭＲＳポートまたは終了ＤＭＲＳポートが、前記１つ以上の協調伝送ユーザ端末により使用されるように、連続する複数のＤＭＲＳポートを設定する、ことを含む。
【００１３】
前記第ｉのユーザ端末のＤＭＲＳポート情報と、その協調相手ユーザ端末のＤＭＲＳポート情報とを、該下り制御シグナリングに記録することは、全ての協調伝送ユーザ端末のポート使用総数を決定し、かつ、第ｉのユーザ端末のポート使用数および該ユーザ端末で使用されるポートスタートポイントを決定し、前記ポート使用総数、第ｉのユーザ端末のポート使用数およびポートスタートポイントを、第ｉのユーザ端末の下り制御シグナリングに記録する、ことを含む。
【００１４】
前記第ｉのユーザ端末のＤＭＲＳポート情報と、その協調相手ユーザ端末のＤＭＲＳポート情報とを、該下り制御シグナリングに記録することは、全ての協調伝送ユーザ端末のポート使用総数を決定し、全ての使用可能なＤＭＲＳポートを含む第１のビットマップを設定し、第１のビットマップに、第ｉのユーザ端末で使用されるＤＭＲＳポートをマークし、前記ポート使用総数と前記第１のビットマップとを、第ｉのユーザ端末の下り制御シグナリングに記録する、ことを含む。
【００１５】
前記ポート使用総数は、
2011142620.tif 000006
個のビットで示し、ここで、Nportは、全ての使用可能なＤＭＲＳポートの数である。
【００１６】
無線通信システムにおける基地局であって、ＭＵ−ＭＩＭＯ伝送を行う１つ以上の協調伝送ユーザ端末に対して、復調パイロット信号（ＤＭＲＳ）ポートを設定するＤＭＲＳポート設定手段と、前記１つ以上の協調伝送ユーザ端末のうちの第ｉのユーザ端末に対して、下り制御シグナリングを生成し、第ｉのユーザ端末のＤＭＲＳポート情報と、その協調相手ユーザ端末のＤＭＲＳポート情報とを、該下り制御シグナリングに記録する下り制御シグナリング生成手段と、前記１つ以上の協調伝送ユーザ端末のプリコーディングデータと、前記下り制御シグナリングとをフレーミングして、前記１つ以上の協調伝送ユーザ端末に送信する送信手段と、を含む。
【００１７】
前記下り制御シグナリング生成手段は、全ての使用可能なＤＭＲＳポートを含む第１のビットマップを設定し、第１のビットマップに、第ｉのユーザ端末で使用されるＤＭＲＳポートをマークし、第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、前記第１のビットマップと第２のビットマップとを、第ｉのユーザ端末の下り制御シグナリングに記録する。
【００１８】
前記下り制御シグナリング生成手段は、第ｉのユーザ端末のポート使用数を決定し、かつ、該ユーザ端末で使用されるポートスタートポイントを決定し、第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、前記ポート使用数、ポートスタートポイントおよび前記第２のビットマップを、第ｉのユーザ端末の下り制御シグナリングに記録する。
【００１９】
前記下り制御シグナリング生成手段は、全ての協調伝送ユーザ端末のポート使用総数を決定し、かつ、第ｉのユーザ端末のポート使用数および該ユーザ端末で使用されるポートスタートポイントを決定し、前記ポート使用総数、第ｉのユーザ端末のポート使用数およびポートスタートポイントを、第ｉのユーザ端末の下り制御シグナリングに記録する。
【００２０】
前記下り制御シグナリング生成手段は、全ての協調伝送ユーザ端末のポート使用総数を決定し、全ての使用可能なＤＭＲＳポートを含む第１のビットマップを設定し、第１のビットマップに、第ｉのユーザ端末で使用されるＤＭＲＳポートをマークし、前記ポート使用総数と前記第１のビットマップとを、第ｉのユーザ端末の下り制御シグナリングに記録する。
【００２１】
マルチユーザマルチ入力マルチ出力（ＭＵ−ＭＩＭＯ）伝送方法であって、基地局が、ＭＵ−ＭＩＭＯ伝送を行う１つ以上の協調伝送ユーザ端末（ＵＥ）に対して、復調パイロット信号（ＤＭＲＳ）ポートを設定し、前記基地局が、第ｉのユーザ端末のＤＭＲＳポート情報と、付加情報とを、前記第ｉのユーザ端末に送信し、前記第ｉのユーザ端末が、自局のＤＭＲＳポート情報と、前記付加情報とによって、一部または全部の協調相手ユーザ端末のＤＭＲＳポート情報を知る、ことを含む。
【００２２】
前記付加情報には、直交カバーコード（ＯＣＣ）の長さまたはＤＭＲＳポート総数、およびＤＭＲＳ密度が含まれる。
【００２３】
前記基地局が、第ｉのユーザ端末のＤＭＲＳポート情報と、付加情報とを、前記第ｉのユーザ端末に送信することは、基地局が、第ｉのユーザ端末のＤＭＲＳポート情報と、ＯＣＣの長さまたはＤＭＲＳポート総数、およびＤＭＲＳ密度とを、下り制御シグナリングを介して、前記第ｉのユーザ端末に送信する、ことを含む。
【００２４】
前記基地局が、第ｉのユーザ端末のＤＭＲＳポート情報と、付加情報とを、前記第ｉのユーザ端末に送信することは、基地局が、第ｉのユーザ端末のＤＭＲＳポート情報を、下り制御シグナリングを介して、前記第ｉのユーザ端末に送信し、基地局が、ＯＣＣの長さまたはＤＭＲＳポート総数、およびＤＭＲＳ密度を、半静的配置を介して、前記第ｉのユーザ端末に通知する、ことを含む。
【００２５】
前記半静的配置は、無線リソース制御（ＲＲＣ）シグナリングを採用して実現される。
【００２６】
無線通信システムであって、ＭＵ−ＭＩＭＯ伝送を行う１つ以上の協調伝送ユーザ端末（ＵＥ）に対して、復調パイロット信号（ＤＭＲＳ）ポートを設定し、第ｉのユーザ端末のＤＭＲＳポート情報と、ＯＣＣの長さまたはＤＭＲＳポート総数、およびＤＭＲＳ密度が含まれる付加情報とを、前記第ｉのユーザ端末に送信する基地局と、自局のＤＭＲＳポート情報と、前記付加情報とによって、一部または全部の協調相手ユーザ端末のＤＭＲＳポート情報を知る第ｉのユーザ端末と、を含む。
【発明の効果】
【００２７】
上述した解決手段からわかるように、本発明のＭＵ−ＭＩＭＯ伝送方法では、基地局側は、設計が合理であるシグナリングフォーマットを使用して、協調伝送に参加する全てのユーザ端末のＤＭＲＳポート情報を、各ユーザ端末に送信する。これにより、協調伝送に参加するユーザ端末のいずれも、自局のＤＭＲＳポート情報を得るとともに、その協調相手ユーザ端末のＤＭＲＳポート情報も得、あるいは、自局のＤＭＲＳポート情報と、付加情報とによって、一部または全部の協調相手ユーザ端末のＤＭＲＳポート情報を知る。このように、ユーザ端末は、よりよい受信機（例えば、ＩＲＣ）をサポートすることが可能になるため、従来のＭＲＣと比べて、よりよい受信性能を有する。
【図面の簡単な説明】
【００２８】
【図１】ＭＲＣとＩＲＣとの性能比較を示す図である。
【図２】本発明の１つの実施例におけるＭＵ−ＭＩＭＯ伝送のフローチャートである。
【図３】本発明の１つの実施例におけるＤＭＲＳポートとマッピングテンプレートとの対応関係を示す図である。
【図４】本発明の１つの実施例におけるＵＥとＤＭＲＳポートとの対応関係を示す図である。
【図５（ａ）】本発明の１つの実施例において、異なるＤＭＲＳ密度を有するＤＭＲＳシンボルの分布を示す図である。
【図５（ｂ）】本発明の１つの実施例において、異なるＤＭＲＳ密度を有するＤＭＲＳシンボルの分布を示す図である。
【発明を実施するための形態】
【００２９】
本発明の目的、解決手段およびメリットをさらに明確にするために、以下、図面を参照して実施例を挙げながら、本発明をさらに詳しく説明する。
【００３０】
本発明では、非透過マルチユーザＭＩＭＯの具体的な実現が提供されている。図２は、本発明の１つの実施例におけるＭＵ−ＭＩＭＯ伝送のフローチャートである。
【００３１】
基地局側では、ステップ２０１で、ユーザ端末１、２、３を同一のＲＢにスケジューリングする。つまり、この３つのＵＥは、１つの協調伝送グループを構成し、例えば、ＵＥ２およびＵＥ３は、ＵＥ１の協調相手ＵＥである。
【００３２】
ステップ２０２で、各ＵＥの送信データシンボルおよびＤＭＲＳシンボルに対して、プリコーディング（ｐｒｅｃｏｄｉｎｇ）および重畳を行う。具体的に、プリコーディングベクトルｇ１を使用して、ＵＥ１のｘ１／ｓ１に対してプリコーディングを行い、ｇ２を使用して、ＵＥ２のｘ２／ｓ２に対してプリコーディングを行い、ｇ３を使用して、ＵＥ３のｘ３／ｓ３に対してプリコーディングを行ってから、プリコーディング後のデータを重畳する。
【００３３】
ステップ２０３で、下り制御情報（ＤＣＩ：ｄｏｗｎｌｉｎｋ  ｃｏｎｔｒｏｌ  ｉｎｆｏｒｍａｔｉｏｎ）を含む下り制御シグナリング（ＤＬ  ｃｏｎｔｒｏｌ  ｓｉｇｎａｌｉｎｇ）を生成する。具体的に、各ＵＥの下り制御シグナリングには、自局の下り制御情報が含まれる。ここで、ＤＣＩ１はＵＥ１の下り制御情報であり、ＤＣＩ２はＵＥ２の下り制御情報であり、ＤＣＩ３はＵＥ３の下り制御情報である。
【００３４】
ステップ２０４〜２０５で、プリコーディングデータと下り制御シグナリングとをフレーミング（Ｆｒａｍｉｎｇ）して、複数のアンテナにマッピングする。
【００３５】
第ｉのユーザ端末側では、ステップ２０６〜２０７で、チャネル推定用の信号を受信し、チャネル推定によって、等価チャネルを得る。ここで、等価チャネルＧ１＝Ｈｉｇ１であり、等価チャネルＧ２＝Ｈｉｇ２であり、等価チャネルＧ３＝Ｈｉｇ３である。
【００３６】
ステップ２０８で、データ復調用の信号を受信する。
【００３７】
ステップ２０９〜２１０で、干渉除去合成（ＩＲＣ）を実行して、復調結果を得る。
【００３８】
基地局は、ステップ２０１のスケジューリングを完成した後、下り制御シグナリングを介して、第ｉのＵＥのＤＭＲＳポート情報と、その協調相手ＵＥのＤＭＲＳポート情報とを、第ｉのＵＥに送信する。これにより、非透過マルチユーザＭＩＭＯ伝送が実現される。
【００３９】
例えば、基地局は、第１のビットマップと、第２のビットマップとによって、全ての協調伝送ＵＥのＤＭＲＳポート情報を伝送する。ここで、第１のビットマップは、第ｉのＵＥが全ての使用可能なＤＭＲＳポートを使用する状況を体現するものであり、第ｉのＵＥで使用されるＤＭＲＳポートが１に設定され、ほかの未使用ＤＭＲＳポートが０に設定される。第２のビットマップは、協調相手ＵＥが第ｉのＵＥで使用されるＤＭＲＳポートを除くほかのＤＭＲＳポートを使用する状況を体現するものである。また、例えば、シングルＵＥのポート使用数と、シングルＵＥのポートスタートポイントとによって、第ｉのＵＥのＤＭＲＳポート情報を伝送し、第２のビットマップによって、協調相手ＵＥのＤＭＲＳポート情報を伝送する。ここで、シングルＵＥのポート使用数は、第ｉのＵＥに割り当てられたＤＭＲＳポートの数であり、シングルＵＥのポートスタートポイントは、第ｉのＵＥに割り当てられた１番目のＤＭＲＳポートである。また、例えば、全ての協調伝送ＵＥで使用されるＤＭＲＳポートが連続する場合、ポート使用総数、シングルＵＥのポート使用数およびシングルＵＥのポートスタートポイントによって、全ての協調伝送ＵＥのＤＭＲＳポート情報を伝送する。また、例えば、ポート使用総数と、第１のビットマップとによって、全ての協調伝送ＵＥのＤＭＲＳポート情報を伝送することができる。
【００４０】
ここから分かるように、異なるＵＥの下り制御シグナリングに含まれたＤＭＲＳポート情報が表す内容は異なる。例えば、ＵＥ１、ＵＥ２、ＵＥ３により構成された１グループの協調伝送ユーザ端末にとって、ＵＥ１に送信されたＤＭＲＳポート情報には、ＵＥ１のＤＭＲＳポート情報と、ＵＥ２およびＵＥ３のＤＭＲＳポート情報とが含まれ、ＵＥ２に送信されたＤＭＲＳポート情報には、ＵＥ２のＤＭＲＳポート情報と、ＵＥ１およびＵＥ３のＤＭＲＳポート情報とが含まれる。この２つのＤＭＲＳポート情報が表す内容は異なる。
【００４１】
相応に、ユーザ端末側で、ＵＥｉは、基地局から送信された下り制御シグナリングを受信し、その中に付けられた自局のＤＭＲＳポート情報（第１のビットマップであってよく、または、ポート使用数＋ポートスタートポイントであってよい）によって、該ＵＥｉで使用されるＤＭＲＳポートを決定し、協調相手ＵＥのＤＭＲＳポート情報（第２のビットマップであってよく、または、ポート使用総数であってよい）によって、その協調相手ＵＥで使用されるＤＭＲＳポートを決定する。
【００４２】
具体的に、１つのＤＭＲＳポートは、１つのＤＭＲＳマッピングテンプレートに対応する。図３に示すように、合わせて３つのＤＭＲＳポートがあると仮定する。ここで、ＤＭＲＳ  Ｐｏｒｔ−０がＵＥ１に割り当てられ、ＤＭＲＳ  Ｐｏｒｔ−１がＵＥ２に割り当てられ、ＤＭＲＳ  Ｐｏｒｔ−２がＵＥ３に割り当てられる。つまり、ＤＭＲＳ  Ｐｏｒｔ−０の対応テンプレートがＵＥ１に割り当てられ、ＤＭＲＳ  Ｐｏｒｔ−１の対応テンプレートがＵＥ２に割り当てられ、ＤＭＲＳ  Ｐｏｒｔ−２の対応テンプレートがＵＥ３に割り当てられる。この３つのテンプレートにおいて、ＤＭＲＳシンボルの時間周波数の位置が同じであるが、異なるテンプレートは、異なる直交ＤＭＲＳシンボルｓ１、ｓ２、ｓ３に対応する。かつ、基地局側とユーザ端末側にとって、このような対応関係は、すべて既知である。各ＵＥは、自局のＤＭＲＳポート情報と、協調相手ＵＥのＤＭＲＳポート情報とを知りさえすれば、相応のＤＭＲＳポートの対応テンプレートを知ることができる。つまり、各ＵＥは、ＤＭＲＳシンボルｓ１、ｓ２、ｓ３を暗黙的に知る。ここから分かるように、ＤＭＲＳポート情報を伝送する場合のシグナリングオーバヘッドは、下り制御シグナリングを介してＤＭＲＳシンボルｓ１、ｓ２、ｓ３を直接に伝送する場合のシグナリングオーバヘッドより、ずっと小さい。
【００４３】
さらに、本発明では、いくつかの具体的なシグナリングフォーマットが提供されている。これらのシグナリングフォーマットにより、下り制御シグナリングを生成する。以下、使用可能なＤＭＲＳポートの数は、Nportで表す。
【００４４】
フォーマット０では、２つのビットマップ（ｂｉｔｍａｐ）を採用して、自局のＤＭＲＳポート情報と、協調相手ＵＥのＤＭＲＳポート情報とをそれぞれ表し、具体的に、フォーマット０＝第１のビットマップ＋第２のビットマップである。ここから分かるように、フォーマット０の最大オーバヘッドは、2*Nport-1である。
【００４５】
１つの具体的な実施例において、１グループの協調伝送ＵＥが使用できるＰｏｒｔは、合わせて８個があると仮定する。ＵＥとＤＭＲＳポートとの対応関係は、図４に示す通りである。ここで、ＵＥｉは、Ｐｏｒｔ−１（斜線部分を参照）を使用し、即ち、該ＵＥｉのポート使用数（ｒａｎｋ）が１であるため、ＵＥｉの自局のＤＭＲＳポート情報を表す第１のｂｉｔｍａｐは「０１００００００」である。その協調相手ＵＥは、ｐｏｒｔ−０、ｐｏｒｔ−３、ｐｏｒｔ−７（ドットで塗りつぶした部分を参照）を使用するため、協調相手ＵＥのＤＭＲＳポート情報を表す第２のｂｉｔｍａｐは「１０１０００１」である。ここから分かるように、第１のｂｉｔｍａｐは８ビットであり、第２のｂｉｔｍａｐは７ビットである。
【００４６】
フォーマット１で表す１グループの協調伝送ＵＥのＤＭＲＳポート情報において、自局のＤＭＲＳポート情報が簡略化され、具体的に、フォーマット１＝シングルＵＥのポート使用数＋シングルＵＥのポートスタートポイント＋第２のビットマップである。ここで、シングルＵＥのポート使用数は、ＵＥｉ自局で使用されるＰｏｒｔの数を表し、シングルＵＥのポートスタートポイントは、ＵＥｉ自局で使用されるスタートＰｏｒｔを表し、第２のビットマップは、ほかの協調相手ＵＥのＰｏｒｔ使用状況を表す。ここから分かるように、フォーマット１の最大オーバヘッドは、
2011142620.tif 000007
である。説明すべきものとして、ＵＥｉに複数のＰｏｒｔを割り当てる場合、これらのＰｏｒｔは、連続すべきである。そのため、「ポートの数＋スタートポイント」を「第１のビットマップ」に代えて、自局のＤＭＲＳポート情報を表すことができる。
【００４７】
１つの具体的な実施例において、ＵＥｉは、Ｐｏｒｔ−１を使用し、ポート使用数が１であり、ほかの協調相手ユーザ端末は、ｐｏｒｔ−０、ｐｏｒｔ−３、ｐｏｒｔ−５、ｐｏｒｔ−７を使用するため、ポート使用数は「０００」で表し、ポートスタートポイントは「００１」で表し、第２のビットマップは「１０１０１０１」で表す。
【００４８】
また、１グループの協調伝送ユーザ端末のＤＭＲＳポート情報が連続する場合、フォーマット２で表すことができ、具体的に、フォーマット２＝ポート使用総数＋シングルＵＥのポート使用数＋シングルＵＥのポートスタートポイントである。ここで、ポート使用総数は、該グループの協調伝送ユーザ端末で使用されるポートの総数を表し、シングルＵＥのポート使用数と、シングルＵＥのポートスタートポイントとは、フォーマット１における定義に類似するため、ここで説明を省略する。フォーマット２の最大オーバヘッドは、
2011142620.tif 000008
である。説明すべきものとして、フォーマット２は、１グループの協調伝送ＵＥで使用されるポートが連続し、かつ、開始ポートと終了ポートとのうちの少なくとも１つが使用される場合に適用される。
【００４９】
１つの具体的な実施例において、ＵＥｉは、Ｐｏｒｔ−１を使用し、ポート使用数が１であり、ほかの協調相手ユーザ端末は、ｐｏｒｔ−０、ｐｏｒｔ−２〜ｐｏｒｔ−５を使用するため、ポート使用総数は「１０１」で表し、シングルＵＥのポート使用数は「０００」で表し、シングルＵＥのポートスタートポイントは「００１」で表す。
【００５０】
さらに、フォーマット３を用いて、１グループの協調伝送ユーザ端末の連続のＤＭＲＳポート情報を表すことができ、具体的に、フォーマット３＝ポート使用総数＋第１のビットマップであり、その最大オーバヘッドは、
2011142620.tif 000009
である。
【００５１】
表２は、Nport＝8を例として、異なるシグナリングフォーマットの最大オーバヘッドの比較を示す。ここで、増加百分比は、協調相手ＵＥのＤＭＲＳポート情報と自局のＤＭＲＳポート情報との比率であり、自局のＤＭＲＳ情報のみを伝送する場合と比べて、非透過マルチユーザＭＩＭＯの場合に増加するビットオーバヘッドを表す。
【表２】
2011142620.tif 000010
【００５２】
具体的なシナリオで、上記シグナリングフォーマット０〜３の最大オーバヘッドは、表３に示すように、さらに減少することができる。
【００５３】
シナリオ１で、Nport＝8であり、１つの協調伝送グループに多くとも４つのＵＥがあり、各ＵＥごとに、多くとも２つのＤＭＲＳポートが割り当てられる。
【００５４】
シナリオ２で、Nport＝4であり、１つの協調伝送グループに多くとも２つのＵＥがあり、各ＵＥごとに、多くとも２つのＤＭＲＳポートが割り当てられる。
【００５５】
シナリオ３で、Nport＝4であり、１つの協調伝送グループ多くとも４つのＵＥがあり、各ＵＥごとに、多くとも１つのＤＭＲＳポートが割り当てられる。
【表３】
2011142620.tif 000011
【００５６】
また、基地局は、ステップ２０１のスケジューリングを完成した後、第ｉのＵＥのＤＭＲＳポート情報と、付加情報（直交カバーコード（ＯＣＣ：Ｏｒｔｈｏｇｏｎａｌ  Ｃｏｖｅｒ  Ｃｏｄｅ）の長さまたはＤＭＲＳポート総数、およびＤＭＲＳ密度などを含む）とを、第ｉのＵＥに送信してもよい。これにより、非透過マルチユーザＭＩＭＯが実現される。第ｉのＵＥは、受信された自局のＤＭＲＳポート情報により、付加情報も参照して、協調伝送グループにおける全てのＵＥのＤＭＲＳポート割り当て状況を全部または一部知ることができる。説明すべきものとして、ＤＭＲＳ密度は、ＤＭＲＳシンボルが１つのＲＢにおいて使用するリソースエレメント（ＲＥ：ｒｅｓｏｕｒｃｅ  ｅｌｅｍｅｎｔ）の数であり、ここで、１つのＲＢには、複数のＲＥが含まれ、ＤＭＲＳポート総数は、全ての使用可能なＤＭＲＳポートの数である。
【００５７】
１つの具体的な実現例において、基地局は、表４に示す対応関係によって、複数のＵＥに対して、ＤＭＲＳポートを設定して、方式１または方式２に従って、付加情報をＵＥに通知することができる。例えば、ＤＭＲＳポート総数が４である場合、ＤＭＲＳ密度は２４であり、ＯＣＣの長さは２である。
【表４】
2011142620.tif 000012
【００５８】
方式１で、下り制御シグナリングにおける下り制御情報を介して、ＤＭＲＳ密度と、ＯＣＣの長さまたはＤＭＲＳポート総数とを、相応のＵＥに通知し、具体的に、下り制御情報において、２つのｂｉｔを設定する。ここで、１つのｂｉｔは、ＤＭＲＳ密度を表し、例えば、「１」が１２ＲＥを表し、「０」が２４ＲＥを表す。図５は、この２つのＤＭＲＳ密度のＤＭＲＳシンボルの分布を示し、斜線で塗りつぶした部分およびドットで塗りつぶした部分が、ＤＭＲＳシンボルであり、ここで、（ａ）のＤＭＲＳ密度が１２であり、（ｂ）のＤＭＲＳ密度が２４である。ほかの１つのｂｉｔの意味は下記の通りである。即ち、ＤＭＲＳポート総数が８である場合、基地局は、ＵＥに対して、該ｂｉｔを利用して、ＯＣＣの長さを示す。例えば、「１」は、ＯＣＣの長さが４であることを表し、「０」は、ＯＣＣの長さが２であることを表す。全てのＯＣＣの長さがいずれも２に定義された場合、基地局は、ＵＥに対して、該ｂｉｔを利用して、ＤＭＲＳポート総数（この場合、「４」と「８」を区別するだけでよい）を示す。例えば、「１」は、ＤＭＲＳポート総数が４であることを表し、「０」は、ＤＭＲＳポート総数が８であることを表す。
【００５９】
方式２で、無線リソース制御（ＲＲＣ：Ｒａｄｉｏ  Ｒｅｓｏｕｒｃｅ  Ｃｏｎｔｒｏｌ）シグナリングなどの方式に従って、半静的配置を行って、ＯＣＣの長さまたはＤＭＲＳポート総数、およびＤＭＲＳ密度を、相応のＵＥに通知する。
【００６０】
さらに、本発明では、無線通信システムが提供されている。該システムは、ＭＵ−ＭＩＭＯ伝送を行う１つ以上の協調伝送ユーザ端末（ＵＥ）に対して、復調パイロット信号（ＤＭＲＳ）ポートを設定し、第ｉのユーザ端末のＤＭＲＳポート情報と、ＯＣＣの長さまたはＤＭＲＳポート総数、およびＤＭＲＳ密度が含まれる付加情報とを、前記第ｉのユーザ端末に送信する基地局と、自局のＤＭＲＳポート情報によって、前記付加情報も参照して、一部または全部の協調相手ユーザ端末のＤＭＲＳポート情報部を知る第ｉのユーザ端末と、を含む。
【００６１】
さらに、本発明では、無線通信システムにおける基地局が提供されている。該基地局は、ＭＵ−ＭＩＭＯ伝送を行う１つ以上の協調伝送ユーザ端末に対して、ＤＭＲＳポートを設定するＤＭＲＳポート設定手段と、前記１つ以上の協調伝送ユーザ端末のうちの第ｉのユーザ端末に対して、下り制御情報を生成し、第ｉのユーザ端末のＤＭＲＳポート情報と、その協調相手ユーザ端末のＤＭＲＳポート情報とを、該下り制御情報に記録して、該下り制御情報を含む下り制御シグナリングを生成する下り制御シグナリング生成手段と、前記１つ以上の協調伝送ユーザ端末のプリコーディングデータと、前記下り制御シグナリングとをフレーミングして、前記１つ以上の協調伝送ユーザ端末に送信する送信手段と、を含む。
【００６２】
本発明の１つの実施例において、前記下り制御シグナリング生成手段は、全ての使用可能なＤＭＲＳポートを含む第１のビットマップを設定し、第１のビットマップに、第ｉのユーザ端末で使用されるＤＭＲＳポートをマークし、第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、前記第１のビットマップと第２のビットマップとを、第ｉのユーザ端末の下り制御シグナリングに記録し、具体的に、フォーマット０を参照する。
【００６３】
本発明の１つの実施例において、前記下り制御シグナリング生成手段は、第ｉのユーザ端末のポート使用数を決定し、かつ、該ユーザ端末で使用されるポートスタートポイントを決定し、第ｉのユーザ端末で使用されるＤＭＲＳポートを除くほかの使用可能なＤＭＲＳポートを含む第２のビットマップを設定し、第２のビットマップに、協調相手ユーザ端末で使用されるＤＭＲＳポートをマークし、前記ポート使用数、ポートスタートポイントおよび前記第２のビットマップを、第ｉのユーザ端末の下り制御シグナリングに記録し、具体的に、フォーマット１を参照する。
【００６４】
本発明の１つの実施例において、前記下り制御シグナリング生成手段は、全ての協調伝送ユーザ端末のポート使用総数を決定し、かつ、第ｉのユーザ端末のポート使用数および該ユーザ端末で使用されるポートスタートポイントを決定し、前記ポート使用総数、第ｉのユーザ端末のポート使用数およびポートスタートポイントを、第ｉのユーザ端末の下り制御シグナリングに記録し、具体的に、フォーマット２を参照する。
【００６５】
本発明の１つの実施例において、前記下り制御シグナリング生成手段は、全ての協調伝送ユーザ端末のポート使用総数を決定し、全ての使用可能なＤＭＲＳポートを含む第１のビットマップを設定し、第１のビットマップに、第ｉのユーザ端末で使用されるＤＭＲＳポートをマークし、前記ポート使用総数と前記第１のビットマップとを、第ｉのユーザ端末の下り制御シグナリングに記録し、具体的に、フォーマット３を参照する。
【００６６】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011142620.tif 000016
【図２】
2011142620.tif 000017
【図３】
2011142620.tif 000018
【図５（ａ）】
2011142620.tif 000019
【図５（ｂ）】
2011142620.tif 000020
【図４】
2011142620.tif 000021